(57)【要約】【課題】接点開放時に発生するアークガスにより可動接触子を付勢するバネが溶融することを抑制すること。【解決手段】固定接点４２と可動接点４４からなる接点部４と、ハンドル３と連動して可動接触子６を昇降させるクロスバー５と、可動接触子に付勢するバネ７と、を有する回路遮断器１であって、クロスバーを接点部とバネとの間に配置し、可動接触子が開放位置にあるときに、クロスバーの下端が固定接点の上端よりも下方に位置する構成とする。【選択図】図２
2018006178.tif 000002
【特許請求の範囲】
【請求項１】
固定接点と可動接点からなる接点部と、
ハンドルと連動して可動接触子を昇降させるクロスバーと、
可動接触子に付勢するバネと、を有する回路遮断器であって、
クロスバーを接点部とバネとの間に配置し、
可動接触子が開放位置にあるときに、クロスバーの下端が固定接点の上端よりも下方に位置する回路遮断器。
【請求項２】
前記バネを固定するバネ固定部の接点部側には、リブが備えられており、
可動接触子が開放位置にあるときに、前記リブの上端がクロスバーの下端よりも上方に位置する請求項１に記載の回路遮断器。
【請求項３】
接点部とクロスバーとの間には、壁部が備えられており、
可動接触子が開放位置にあるときに、前記壁部の上端がクロスバーの下端よりも上方に位置する請求項１に記載の回路遮断器。
【発明の詳細な説明】
【技術分野】
【０００１】
本発明は、回路遮断器に関するものである。
【背景技術】
【０００２】
従来から、回路遮断器の固定接点と可動接点の接触を断って電路を遮断するときに、アークガスが発生することが知られている。このアークガスを消弧するため、回路遮断器内に消弧装置を設けることが一般的である。しかし、アークガスの全てが消弧装置によって消弧されるわけではなく、その一部が回路遮断器の内側方向へ流れてしまうことがあった。このようなことに起因して、アークガスが他極に流れ込むと、異極間で絶縁劣化が生じることが知られていた。特許文献１には、このような不具合を解消するための構造が記載されている。
【先行技術文献】
【特許文献】
【０００３】
【特許文献１】特開２００６−２３６７３２号公報
【０００４】
ところで、可動接点が上昇するように可動接触子に付勢力を与えるため、回路遮断器内には、バネが配置されている。このバネがアークガスに曝されると、バネが溶融してしまい、可動接触子に付勢力を与える機能を損なう虞があった。
【発明の概要】
【発明が解決しようとする課題】
【０００５】
本件の発明者は、この点について鋭意検討することにより、解決を試みた。本発明の課題は、接点開放時に発生するアークガスにより可動接触子を付勢するバネが溶融することを抑制することである。
【課題を解決するための手段】
【０００６】
上記課題を解決するため、次のような手段を採用する。第一の手段は、固定接点と可動接点からなる接点部と、ハンドルと連動して可動接触子を昇降させるクロスバーと、可動接触子に付勢するバネと、を有する回路遮断器であって、クロスバーを接点部とバネとの間に配置し、可動接触子が開放位置にあるときに、クロスバーの下端が固定接点の上端よりも下方に位置する回路遮断器である。
【０００７】
第一の手段において、前記バネを固定するバネ固定部の接点部側には、リブが備えられており、可動接触子が開放位置にあるときに、前記リブの上端がクロスバーの下端よりも上方に位置する構成とした第二の手段が好ましい。
【０００８】
第一の手段において、接点部とクロスバーとの間には、壁部が備えられており、
可動接触子が開放位置にあるときに、前記壁部の上端がクロスバーの下端よりも上方に位置する構成とした第三の手段が好ましい。
【発明の効果】
【０００９】
本発明では、接点開放時に発生するアークガスにより可動接触子を付勢するバネが溶融することを抑制することができる。
【図面の簡単な説明】
【００１０】
【図１】実施形態の回路遮断器の斜視図である。
【図２】オフ時の回路遮断器の断面図である。
【図３】オン時の回路遮断器の断面図である。
【図４】クロスバーの斜視図である。
【図５】変形例のクロスバーの斜視図である。
【発明を実施するための形態】
【００１１】
以下に発明を実施するための形態を示す。図１は実施形態の回路遮断器１の斜視図である。なお、本明細書においては、図１などに示したＸ側が上として、Ｙ側が前として方向を定めている。回路遮断器１には、固定接点４２と可動接点４４からなる接点部４を備えている。図２に示すように固定接点４２と可動接点４４が離間している場合、回路遮断器１内で電路が遮断されている。図３に示すように固定接点４２と可動接点４４が接触している場合、回路遮断器１内の電路が繋がる。なお、ケース２の外側に突出しているハンドル３を操作することで、可動接点４４を移動させることが可能である。
【００１２】
回路遮断器１には、ハンドル３と連動して可動接触子６を昇降させるクロスバー５を備えている。可動接点４４は可動接触子６に接続されており、可動接触子６を動かすことで可動接点４４を動かすことができるように構成されている。回路遮断器１には、可動接触子６を付勢するバネ７が備えられており、このバネ７は、可動接点４４が固定接点４２と離間することを補助するように、可動接触子６を付勢している。このバネ７と接点部４との間にクロスバー５が配置されている。また、図２に示すように、可動接触子６が開放位置にあるときに、クロスバー５の下端が固定接点４２の上端よりも下方に位置するように構成されている。したがって、接点開放時に発生するアークガスからバネ７を保護するようにクロスバー５が機能することになる。また、クロスバー５が接点部４とバネ７との間に配置されるため、接点部４とバネ７との距離を比較的長めにすることができ、この点からも、バネ７がアークガスに曝されることを抑制することが可能となる。
【００１３】
次にクロスバー５について詳細に説明する。本実施形態のクロスバー５は樹脂を用いて構成されている。また、図４に示すように、クロスバー５には可動接触子６を挿通する孔５２を備えている。本実施形態のクロスバー５は、回路遮断器１の三つの極にまたがるように設けられており、全ての可動接触子６を同時に昇降させるために利用される。回路遮断器１のオン操作をするために、ハンドル３を図３に示す側に倒すと、クロスバー５の下降と同時に可動接点４４と固定接点４２が接触し、電路が繋がる。逆に、オフ操作をするために、図２に示す側にハンドル３を倒すと、クロスバー５の上昇と同時に可動接点４４と固定接点４２の接触が断たれ、電路が遮断される。接点部４でアークガスが発生しても、接点部４とバネ７との間にアークガスの移動の障害となるクロスバー５が存在しているため、バネ７がアークガスに曝されることを抑制することができる。クロスバー５は図４に示したような形態に限るものではなく、例えば図５に示すように、孔５２の下端部を切り欠き、切り欠き部５４を備えた形態とすることも可能である。なお、図２に示した状態が、可動接触子６が開放位置にある状態である。
【００１４】
ところで、本実施形態の回路遮断器１には、可動接触子６を付勢するバネ７を固定するバネ固定部１２を備えている。バネ固定部１２には底面１３側から上方に延びるリブが備えられている。本実施形態ではリブはバネ７の前後方向に配置されている。バネ固定部１２の接点部４側に設けられたリブ１４は、可動接触子６が開放位置にあるときに、前記リブ１４の上端がクロスバー５の下端よりも上方に位置するように構成されている。このため、当該リブ１４もアークガスがバネ７に至ることを抑制する。したがって、より一層、バネ７がアークガスに曝されることを抑制することができる。
【００１５】
また、本実施形態においては、接点部４とクロスバー５との間に、壁部１５が備えられている。この壁部１５は、可動接触子６が開放位置にあるときに、その上端がクロスバー５の下端よりも上方に位置するように構成されている。このため、当該壁部１５もアークガスがバネ７に至ることを抑制する。したがって、より一層、バネ７がアークガスに曝されることを抑制することができる。
【００１６】
本実施形態の壁部１５は接点部４付近に設けられた、樹脂製の部材により構成されている。この樹脂製の部材は高温のアークに触れると、アークの消弧に寄与するガスが発生し、アークバリアとして機能する。
【００１７】
以上、一つの実施の形態を中心として説明してきたが、本発明は上記実施の形態に限定されることはなく、各種の態様とすることが可能である。例えば、底面側から延びるリブは、バネの前後方向に配置する必要は無く、所望の位置に設けることが可能である。
【００１８】
また、接点部とクロスバーとの間に別途部材を追加することで、壁部を形成しても良い。この場合、可動接触子の動きを制限しないように壁部を配置することが好ましい。
【符号の説明】
【００１９】
１  回路遮断器
３  ハンドル
４  接点部
５  クロスバー
６  可動接触子
７  バネ
１２  バネ固定部
１４  リブ
１５  壁部
４２  固定接点
４４  可動接点
【図１】
2018006178.tif 000003
【図２】
2018006178.tif 000004
【図３】
2018006178.tif 000005
【図４】
2018006178.tif 000006
【図５】
2018006178.tif 000007